(57)【特許請求の範囲】
【請求項１】
通信ネットワークを介してサービスを提供するサーバと、
回線接続先の発信電話番号を保持し、前記回線接続先との間では回線交換網に接続して回線制御を行い、前記サーバとの間では前記通信ネットワークを介してＬＡＮ制御を行うことによって、前記回線接続先と前記サーバとの間でパケットの中継を行うデータリンク被起動側装置と、
前記回線交換網を介して前記データリンク被起動側装置と回線接続し、前記サーバとの間の通信が一定時間ない場合には、ＭＩＴＦダイヤルアップ・ドーマント・プロトコルに基づいて前記データリンク被起動側装置との間の回線を切断してドーマント状態に移行するデータリンク起動側装置とを備えるデータ通信システムにおいて、
前記データリンク起動側装置と前記データリンク被起動側装置との間のパケット通信状態がドーマント状態にあるときに、前記サーバから前記データリンク起動側装置宛てのデータを前記データリンク被起動側装置が受信した場合に、前記データ被起動側装置から送信される前記発信電話番号を通知先の番号としてデータ受信通知を発信する発信サーバをさらに備えることを特徴とするデータ通信システム。
【請求項２】
前記データリンク起動側装置は、前記発信サーバから前記データ受信通知を受信すると、前記ＭＩＴＦダイヤルアップ・ドーマント・プロトコルの再接続機能を利用して前記データリンク被起動側装置に再接続する請求項１記載のデータ通信システム。
【請求項３】
前記発信サーバは、ＳＳ７（ｓｉｇｎａｌｉｎｇ ｓｙｓｔｅｍ Ｎｏ.７）の手順で前記データ受信通知を発信する請求項１または２記載のデータ通信システム。
【請求項４】
通信ネットワークを介してサービスを提供するサーバと、
回線接続先の発信電話番号を保持し、前記回線接続先との間では回線交換網に接続して回線制御を行い、前記サーバとの間では前記通信ネットワークを介してＬＡＮ制御を行うことによって、前記回線接続先と前記サーバとの間でパケットの中継を行うデータリンク被起動側装置と、
前記回線交換網を介して前記データリンク被起動側装置と回線接続し、前記サーバとの間の通信が一定時間ない場合には、前記ＭＩＴＦダイヤルアップ・ドーマント・プロトコルに基づいて前記データリンク被起動側装置との間の回線を切断してドーマント状態に移行するデータリンク起動側装置とを備えるシステムのデータ通信方法において、
前記データリンク起動側装置と前記データリンク被起動側装置との間のパケット通信状態がドーマント状態にあるときに、前記データリンク被起動側装置が前記サーバから前記データリンク起動側装置宛てのデータを受信した場合に、前記データ被起動側装置から送信される前記データリンク起動側装置の発信電話番号を通知先の番号としてデータ受信通知を発信する発信サーバを予め備えておき、前記発信サーバから前記データ受信通知を前記データリンク起動側装置が受信すると、前記データリンク起動側装置によって、前記ＭＩＴＦダイヤルアップ・ドーマント・プロトコルの再接続機能を利用して前記データリンク被起動側装置に対して再接続させるデータ通信方法。
【請求項５】
前記発信サーバは、ＳＳ７（ｓｉｇｎａｌｉｎｇ ｓｙｓｔｅｍ Ｎｏ.７）の手順で前記データ受信通知を発信する請求項４記載のデータ通信方法。
【請求項６】
データリンク起動側と、データリンク被起動側との間のパケット通信状態がドーマント状態にあるときに、前記データリンク被起動側が、通信ネットワークを介してサービスを提供するサーバから前記データ起動側宛てのデータを受信した場合に前記データ被起動側から送信される前記データ起動側の発信電話番号を通知先の電話番号としてデータ受信通知を発信する回線制御手段を有することを特徴とする発信サーバ。
【請求項７】
前記回線制御手段は、ＳＳ７（ｓｉｇｎａｌｉｎｇ  ｓｙｓｔｅｍ  Ｎｏ．７）の手順で前記データ受信通知を発信する請求項６記載の発信サーバ。
【発明の詳細な説明】
【０００１】
【発明の属する技術分野】
本発明は、インターネットを利用するデータの活性化／非活性化によって接続を制御する手順であるＭＩＴＦ（Ｍｏｂｉｌｅ Ｉｎｔｅｒｎｅｔ ＡｃｃｅｓｓＦｏｒｕｍ）ダイヤルアップ・ドーマント・プロトコルを用いてデータ通信を行うデータ通信システムおよび方法、サーバに関する。
【０００２】
【従来の技術】
電波産業界（ＡＲＩＢ：Ａｓｓｏｃｉａｔｉｏｎ ｏｆ Ｒａｄｉｏ Ｉｎｄｕｓｔｒｉｅｓ ａｎｄ Ｂｕｓｉｎｅｓｓｅｓ）による標準規格であるＡＲＩＢ ＳＴＤ−Ｔ７８には、ＰＩＡＦＳ（ＰＨＳ Ｉｎｔｅｒｎｅｔ Ａｃｃｅｓｓ Ｆｏｒｕｍ Ｓｔａｎｄａｒｄ）やＩＳＤＮ（Ｉｎｔｅｇｒａｔｅｄ Ｓｅｒｖｉｃｅ  Ｄｉｇｉｔａｌ Ｎｅｔｗｏｒｋ：統合サービスデジタル網）等の伝送制御機能を使用し、インターネットを利用するデータの活性化／非活性化により接続を制御する手順であるＭＩＴＦダイヤルアップ・ドーマント・プロトコルの仕様が規定されている。
【０００３】
図３は、ＡＲＩＢ  ＳＴＤ−Ｔ７８に記載されたＭＩＴＦダイヤルアップ・ドーマント・プロトコルを適用する通信環境を示す図である。図３に示すように、物理回線で互いに接続されたデータリンク起動側１およびデータリンク被起動側２において、ＭＩＴＦダイヤルアップ・ドーマント・プロトコルのドーマント手順は、物理層の上位層である伝送制御手順と高位レベルプロトコルとの間に配置されている。ここで、物理層は、出力する信号方式を物理回線に合致する形式に変換する層であり、高位レベルプロトコルは、ファクシミリ通信、パソコン通信、インターネット通信等の応用プログラムに依存するプロトコルのことである。
【０００４】
ＭＩＴＦダイヤルアップ・ドーマント手順は、ドーマント要求を行うデータリンク起動側１の手順と、そのドーマント要求を受けて応答を返すデータリンク被起動側２の手順とから構成されている。ＭＩＴＦダイヤルアップ・ドーマント・プロトコルは、高位レベルプロトコルに対して一次切断機能と再接続機能とを提供する。具体的には、ＭＩＴＦダイヤルアップ・ドーマント・プロトコルは、高位レベルプロトコルに対し、データリンク切断（ドーマント状態への移行）の隠蔽やデータリンク再接続（ドーマント状態からの復帰、データリンク起動側からのみ提供）のサービスを提供する。
【０００５】
図４は、ＭＩＴＦダイヤルアップ・ドーマント・プロトコルを適用したデータ通信システムの構成を示すブロック図である。このデータ通信システムは、利用者の使用するユーザ端末からインターネットにアクセスするためのシステムであり、図４に示すように、ユーザ端末であるデータリンク起動側装置１と、データリンク被起動側装置２と、インターネット網６と、インターネット網６上に配置された利用者接続先サーバ４と、回線交換網５とから構成される。
【０００６】
データリンク起動側装置１は、パーソナルコンピュータ（以下、ＰＣ）等である。データリンク起動側装置１には、ＭＩＴＦダイヤルアップ・ドーマント・プロトコルに基づいたドーマント機能がインストールされている。データリンク起動側装置１は、回線交換網５に接続して回線制御を行い、データリンク被起動側装置２とデータリンク接続する。
【０００７】
データリンク被起動側装置２は、データリンク起動側装置１との間では回線交換網５に接続して回線制御を行い、利用者接続先サーバ４との間ではインターネット網６を介してＬＡＮ制御を行うことによって、回線交換網５とインターネット網６との間でパケットの中継を行う。また、データリンク被起動側装置２は、データリンク起動側装置１の発信電話番号を内部情報として保持し、データリンク起動側装置１からの再接続時に以前使用していた利用者接続先サーバ４との接続を復元する機能を有している。利用者接続先サーバ４は、インターネット網６に接続してＬＡＮ制御を行ってデータ通信を行って、インターネット網６上で一般的に利用されているＷｅｂやチャットなどを利用者に提供するためのサーバである。
【０００８】
図５は、ＭＩＴＦダイヤルアップ・ドーマント・プロトコルを適用したデータ通信システムのドーマント機能を示すシーケンス図である。図５に示すように、まず、データリンク起動側装置１が発信／着信機能によってデータリンク被起動側装置２に回線接続すると（ステップ１０１）、データリンク被起動側装置２では、データリンク起動側装置１の発信電話番号が内部情報として蓄積され（ステップ１０２）、データリンク起動側装置１とデータリンク被起動側装置２とは通話状態となる。
【０００９】
この状態で、データリンク起動側装置１は、データリンク被起動側装置２を介してインターネット網６上の利用者接続先サーバ４にアクセスし、Ｗｅｂデータの受信を行う（ステップ１０３、ステップ１０４）。
【００１０】
ＭＩＴＦダイヤルアップ・ドーマント・プロトコルでは、データリンク起動側装置１は、利用者接続先サーバ４との間の通信が一定時間ない（データリンク起動側装置２からのアクセスが一定時間無い）場合には、データリンク被起動側装置２との間の回線を切断する（ステップ１０５）。すると、データリンク起動側装置１とデータリンク被起動側装置２は、ドーマント状態に移行し、両者の間の物理層のレベルのリンクが解除される。
【００１１】
なお、データリンク起動側装置１の状態が「ドーマント状態」の時に、高位レベルプロトコルよりデータリンク被起動側に対してデータを送信しようとすると、データリンク起動側装置１は、リンク確立後「再接続要求」（ＭＩＴＦダイヤルアップドーマントメッセージ）をデータリンク被起動側装置２に対して送信する。その後、データリンク被起動側装置２より再接続応答「ＭＩＴＦダイヤルアップドーマントメッセージ」を受信すると、通信状態を「アクティブ状態」へ遷移させる。つまり、データリンク起動側装置１からデータ被起動側装置２に対して「再接続」を行うことができる。
【００１２】
逆に、利用者接続先サーバ４からデータリンク被起動側装置２にデータリンク起動装置１宛てのデータが送信されてきたとする。しかしながら、ドーマント状態では、データリンク起動装置１とデータリンク被起動側装置２との間には、物理層のレベルでリンクが存在しておらず、前述のように、ＭＩＴＦダイヤルアップ・ドーマント・プロトコルのデータリンク再接続は、データリンク起動側からの接続に限定されているため、インターネット網６からデータを受信しても、データリンク被起動側装置２は、データリンク起動側装置１に再接続してデータを送信することができないという問題があった。
【００１３】
【発明が解決しようとする課題】
以上述べたように、従来、ＭＩＴＦダイヤルアップ・ドーマント・プロトコルによってデータ通信を行う際には、データリンク起動側およびデータリンク被起動側がドーマント状態になると、それらの間に物理層のレベルでリンクが存在しないため、インターネット網からデータリンク起動側宛てのデータを受信しても、データリンク被起動側は、データリンク起動側にデータを送信することができないという問題があった。
【００１４】
本発明は、データリンク起動側およびデータリンク被起動側がドーマント状態になっても、インターネット網よりデータリンク起動側宛てのデータを受信した場合に、データリンク被起動側からデータリンク起動側へデータを送信することができるデータ通信システムを提供することを目的とする。
【００１５】
【課題を解決するための手段】
上記課題を解決するために、本発明のデータ通信システムは、通信ネットワークを介してサービスを提供するサーバと、
回線接続先の発信電話番号を保持し、前記回線接続先との間では回線交換網に接続して回線制御を行い、前記サーバとの間では前記通信ネットワークを介してＬＡＮ制御を行うことによって、前記回線接続先と前記サーバとの間でパケットの中継を行うデータリンク被起動側装置と、
前記回線交換網を介して前記データリンク被起動側装置と回線接続し、前記サーバとの間の通信が一定時間ない場合には、ＭＩＴＦダイヤルアップ・ドーマント・プロトコルに基づいて前記データリンク被起動側装置との間の回線を切断してドーマント状態に移行するデータリンク起動側装置とを備えるデータ通信システムにおいて、
前記データリンク起動側装置と前記データリンク被起動側装置との間のパケット通信状態がドーマント状態にあるときに、前記サーバから前記データリンク起動側装置宛てのデータを前記データリンク被起動側装置が受信した場合に、前記データ被起動側装置から送信される前記発信電話番号を通知先の番号としてデータ受信通知を発信する発信サーバをさらに備えることを特徴とする。
【００１６】
本発明のデータ通信システムでは、前述の発信用サーバを設けることによって、データリンク起動側装置およびデータリンク被起動側装置がドーマント状態になっていても、通信ネットワークよりデータリンク起動側装置宛てのデータを受信した場合に、データリンク起動側装置がデータリンク被起動側装置に再接続することができるようになるので、データリンク被起動側装置からデータリンク起動側装置へデータを送信することができるようになる。
【００１７】
また、本発明のデータ通信システムの他の実施形態では、前記データリンク起動側装置は、前記発信サーバから前記データ受信通知を受信すると、前記ＭＩＴＦダイヤルアップ・ドーマント・プロトコルの再接続機能を利用して前記データリンク被起動側装置に再接続する。
【００１８】
本実施態様では、ＭＩＴＦダイヤルアップ・ドーマント・プロトコルの再接続機能を利用してデータリンク被起動側装置に再接続するので、そのプロトコルの仕様に沿ったままで、データリンク被起動側装置がサーバからデータリンク起動側装置宛てのデータを受信した場合でも、データリンク起動側装置とデータリンク被起動側装置との間の再接続を実現することができる。
【００１９】
【発明の実施の形態】
次に、本発明の一実施形態のデータ通信システムについて図面を参照して詳細に説明する。
【００２０】
図１は、本実施形態のデータ通信システムの構成を示すブロック図である。図１に示すように、本実施形態のデータ通信システムは、発信用サーバ３を備えている点が、図４に示す従来のデータ通信システムと異なっている。発信用サーバ３は、回線制御を行って回線交換網５に接続することができ、ＬＡＮ制御を行ってインターネット網６に接続することができる。また、発信用サーバ３は、発信依頼信号中のデータリンク起動側装置１の発信電話番号を利用して、ＳＳ７（ｓｉｇｎａｌｉｎｇ ｓｙｓｔｅｍ Ｎｏ.７）などの手順でデータリンク起動側装置１に対する発信を行うことができる。さらに、本実施形態のデータ通信システムでは、データリンク起動側装置１は、発信用サーバ３からデータ受信通知を受信すると、データリンク被起動側装置２と再接続を行う機能を有している。
【００２１】
図２は、本実施形態のデータ通信システムの動作を示すシーケンス図である。図２では、データリンク起動側装置１と、データリンク被起動側装置２とは、ドーマント状態にあり、この状態で、データリンク被起動側装置２が利用者接続先サーバ４からデータリンク起動側装置１宛てのデータを受信したとする。
【００２２】
すると、データリンク被起動側装置２は、内部情報に保持するデータリンク起動側発信電話番号を発信依頼信号中に設定し、その発信依頼信号を発信用サーバ３に対して発行する（ステップ２０１）。発信用サーバ３は、発信依頼信号を受信すると、その発信依頼信号中のデータリンク起動側装置１の発信電話番号を利用し、ＳＳ７（ｓｉｇｎａｌｉｎｇ ｓｙｓｔｅｍ Ｎｏ.７）などの手順でデータリンク起動側装置１に対してデータ受信通知を発信する（ステップ２０２）。データリンク起動側装置１は、データ受信通知を受信すると、データリンク被起動側装置２に再接続する（ステップ２０３）。データリンク起動側装置１との再接続が完了すると、データリンク被起動側装置２は、利用者接続先サーバ４から受信していたデータをデータリンク起動側装置１に送信する（ステップ２０４）。
【００２３】
本実施形態のデータ通信システムでは、データリンク被起動側装置２が利用者接続先サーバ４からデータリンク起動側装置１宛てのデータを受信した場合に、データ被起動側装置２から送信される発信依頼信号を受信し、その発信依頼信号に含まれるデータリンク起動側装置１の発信電話番号を通知先の番号としてデータ受信通知を発信する発信サーバ３を設けることによって、データリンク起動側装置１およびデータリンク被起動側装置２がドーマント状態になっていても、インターネット網６よりデータリンク起動側装置１宛てのデータを受信した場合に、データリンク起動側装置１がデータリンク被起動側装置２に再接続することができるようになるので、データリンク被起動側装置２がデータリンク起動側装置１にデータを送信することができるようになる。本実施態様のデータ通信システムでは、ＭＩＴＦダイヤルアップ・ドーマント・プロトコルの再接続機能を利用してデータリンク被起動側装置２に再接続するので、そのプロトコルの仕様に沿ったままで、データリンク被起動側装置２が利用者接続先サーバ４からデータリンク起動側装置１宛てのデータを受信した場合でも、データリンク起動側装置１とデータリンク被起動側装置２との間の再接続を実現することができる。
【００２４】
本実施形態のデータ通信システムを適用すれば、ドーマント機能だけでは利用者がインターネット網と接続する契機が利用者側からの再接続機能しかなかったものを、インターネット網６からデータが送信されてきた場合にも再接続することができるようになるため、ドーマント機能の応用範囲を広げることができる。特に、インターネット網６の接続料金が定額制である場合には、利用者は長時間インターネット網６への接続状態を維持する場合が多い。このような場合では、無通信状態が一定時間以上となって、インターネット網６との回線が切断されたとしても、利用者がインターネット網６を介してデータが送信されたときにリアルタイムで自動的に再接続を行うことができるようになるため、チャットやＰＯＰ（Ｐｏｉｎｔ  Ｏｆ  Ｐａｒｃｈａｓｅ  ａｄ．：購買時点広告）など、インターネット網６側からデータが送信されてくる形態のサービスの利用範囲を広げることができる。
【００２５】
なお、本実施形態のデータ通信システムでは、データリンク被起動側装置２は、利用者接続先サーバ４から何らかのデータを受信したときには、発信用サーバ３に対して発信依頼を発行しているが、データリンク被起動側装置２からデータリンク起動側装置１に対して直接、データ受信通知を発行するようにしてもよい。
【００２６】
なお、本実施形態のデータ通信システムで適用する「ＡＲＩＢ  ＳＴＤ−Ｔ７８  ＭＩＴＦダイヤルアップ・ドーマント・プロトコル」は、ＰＩＡＦＳを伝送制御手順としているが、一般公衆回線（アナログ回線）やＩＳＤＮについても同様のドーマント機能を利用することができるため、それら他の回線を用いるシステムについても本発明のデータ通信システムを用いることができる。
【００２７】
【発明の効果】
以上述べたように、本発明のデータ通信システムでは、データリンク被起動側装置が利用者接続先サーバからデータリンク起動側装置宛てのデータを受信した場合に、データ被起動側装置から送信される発信依頼信号を受信し、その発信依頼信号に含まれるデータリンク起動側発信電話番号を通知先の番号としてデータ受信通知を発信する発信サーバを設けることによって、データリンク起動側装置およびデータリンク被起動側装置がドーマント状態になっていても、インターネット網よりデータリンク起動側装置宛てのデータを受信した場合に、データリンク起動側装置がデータリンク被起動側装置に再接続することができるようになるので、データリンク被起動側装置がデータリンク起動側装置にデータを送信することができる。
【図面の簡単な説明】
【図１】本発明の一実施形態のデータ通信システムの構成を示すブロック図である。
【図２】本発明の一実施形態のデータ通信システムの動作を示すシーケンス図である。
【図３】ＡＲＩＢ  ＳＴＤ−Ｔ７８に記載されたＭＩＴＦダイヤルアップ・ドーマント・プロトコルを適用する通信環境を示す図である。
【図４】ＭＩＴＦダイヤルアップ・ドーマント・プロトコルを適用したデータ通信システムの構成を示すブロック図である。
【図５】ＭＩＴＦダイヤルアップ・ドーマント・プロトコルを適用したデータ通信システムのドーマント機能を示すシーケンス図である。
【符号の説明】
１    データリンク起動側装置
２    データリンク被起動側装置
３    発信用サーバ
４    利用者接続先サーバ
５    回線交換網
６    インターネット網
１０１〜１０５、２０１〜２０４    ステップ
【図１】
0003957537.tif 000002
【図２】
0003957537.tif 000003
【図３】
0003957537.tif 000004
【図４】
0003957537.tif 000005
【図５】
0003957537.tif 000006